(57)【要約】【課題】折りたたみ式の包装箱において、取扱説明書や保証書等の印刷物を載せたり、包装箱内部を複数に分けるための仕切り板を、包装箱の展開寸法を大きくすることなく包装箱と一体に形成し、コストを下げるとともに、組立性を向上させること。【解決手段】平面形状が方形の底板と、この底板に隣接して形成される左右および前後の側壁板と、前後の側壁板のいずれかに連設される上蓋と、左右の側壁板の、前記上蓋が連設された前後いずれかの側壁板側の端縁に連結片を連設する。そして連結片に斜めの折り目を介して貼付片を連設し、前記貼付片の、前記左右の側壁板の反対側の端部に包装箱内部を複数に分けるための仕切り板を連設したことを特徴とする。【選択図】図１
2017145002.tif 000002
【特許請求の範囲】
【請求項１】
平面形状が方形の底板と、この底板に隣接して形成される左右および前後の側壁板と、前後の側壁板のいずれかに連設される上蓋と、左右の側壁板の、前記上蓋が連設された前後いずれかの側壁板側の端縁に連結片が連設し、さらには連結片に斜めの折り目を介して貼付片を連設した包装箱において、包装箱内部を複数に分けるための仕切り板を、前記左または右、あるいは両側の貼付片の、前記左右の側壁板の反対側の端部に連設したことを特徴とする包装箱。
【請求項２】
前記貼付片が前記前又は後側の側壁板に貼着されていることを特徴とする請求項１に記載の包装箱。
【請求項３】
前記仕切り板が左右の貼付片に連設されているとともに、前記左右の側壁板が前記底板との連設線で折りたたまれた状態において、前記左右の仕切り板の一部が重なるとともに、重なり合う部分において貼着されていることを特徴とする請求項１又は請求項２に記載の包装箱。
【請求項４】
前記仕切り板と、折り目線を介して前記貼付片が連設されている請求項１に記載の包装箱において、該折り目線を介して貼付補助片が前記仕切り板と連設されており、該貼付補助片が前記前又は後側の側壁板に貼着されていることを特徴とする請求項１又は請求項２に記載の包装箱。
【発明の詳細な説明】
【技術分野】
【０００１】
本発明は、デジタルカメラやデジタルビデオカメラ等の被包装物を収納するための包装箱に関する。
【背景技術】
【０００２】
従来より、デジタルカメラ等の電子機器においては、上面に蓋を持つ直方体形状の包装箱に、収納トレイに入れた電子機器本体とバッテリーやそのチャージャーなどの同梱品を入れ、その上に仕切り板を置いて取扱説明書や保証書等の印刷物を載せ、収納する包装が良く見られる。
【０００３】
一方、デジタルカメラ等の電子機器の小型化により、包装箱も小型化、薄型化され、特許文献１に示されるような、長方形状の底板に左右と前後に側壁板を連設し、左右の側壁板の上端にフラップ、後側の側壁板に上蓋片を連設させた包装箱を使用することが多くなっている。
【０００４】
しかしながら、特許文献１に示すような包装箱では、取扱説明書や保証書等の印刷物を載せたり、包装箱の内部を複数のスペースに区切るための仕切り板を、包装箱とは別に用意する必要がある。
【０００５】
また、特許文献２に示すように、仕切り板を包装箱と一体とするために、仕切り板を前側の側壁板に連設したり、あるいは左右の側板の上端に連設させると、仕切り板を一体にしない場合に比べて展開寸法が大きくなり、包装箱の取り都合が良くない。
【先行技術文献】
【特許文献】
【０００６】
【特許文献１】特開２００８−５００２５号公報
【特許文献２】実用新案登録第３１８８０２２号公報
【発明の概要】
【発明が解決しようとする課題】
【０００７】
そこで、本発明の目的は、仕切り板を一体に構成しても展開寸法が大きくならず、取り都合の良好な包装箱を提供することにある。
【課題を解決するための手段】
【０００８】
上記の目的を達成するために、本発明に係る包装箱は、
平面形状が方形の底板と、この底板に隣接して形成される左右および前後の側壁板と、前後の側壁板のいずれかに連設される上蓋片と、左右の側壁板の、前記上蓋片が連設された前後いずれかの側壁板側の端縁に連結片が連設し、さらには連結片に斜めの折り目を介して貼付片を連設した包装箱において、包装箱内部を複数にスペースに分けるための仕切り板を、前記貼付片の、前記左右の側壁板の反対側の端部に連設したことを特徴とする。
【発明の効果】
【０００９】
本発明の請求項１に記載の包装箱によれば、取扱説明書や保証書等の印刷物を載せたり、包装箱を複数のスペースに区切るための仕切り板を、包装箱の展開寸法を大きくすることなく、包装箱と一体に形成することが可能となる。
【００１０】
また、請求項２に記載の包装箱によれば、折りたたまれた左右の側壁板を開くことで、前または後側の側壁板も起き上がり、包装箱の組み立てが容易にできる。
【００１１】
また、請求項３に記載の包装箱によれば、左右の仕切り板が重なりを持つとともに、貼り合わせていることで、一つの仕切り板として扱うことができ、組立が容易になる。
さらに、請求項に記載の包装箱によれば、仕切り板の折り曲げ部に貼付補助片を連設し、貼付片とともに側壁板に接着しているので、仕切り板を動かしても接着がはがれにくく、また、折り曲げ部も切れにくくなる。
【図面の簡単な説明】
【００１２】
【図１】本発明による包装箱の表面より見た展開図
【図２】本発明による包装箱の糊貼り工程後の形態を示す斜視図
【図３】本発明による包装箱の組み立て途中の形態を示す斜視図
【図４】本発明による包装箱の組み立て途中の形態を示す斜視図
【図５】本発明による包装箱の内容物を収納する前の形態を示す斜視図
【図６】本発明による包装箱の完成状態を示す斜視図
【発明を実施するための形態】
【００１３】
以下に、本発明の好ましい実施の形態を、添付の図面に基づいて詳細に説明する。
【実施例１】
【００１４】
本発明の第１の実施例による、包装箱について説明する。
【００１５】
図１は段ボールなどの厚紙を材料に用いて作られ、デジタルカメラなどの小型の被包装物（図示せず）を収納する紙製包装箱の展開形状を示した図である。
【００１６】
図において、１は平面形状が長方形状の底板であり、この底板１の短辺側の左右に側壁板２、３が連設されている。また、前記底板１の長辺側には、前側に側壁板４が、後ろ側には側壁板５が連設されている。
【００１７】
前記左右の側壁板２、３の上端にはフラップ２１、３１が、前記左右の側壁板２、３の前端縁には保持片２２および３２が前側の側壁板４の内側に沿うように折り曲げ可能に連設されている。前記前側の側壁板４の上端には、前記保持片２２および３２を挟むように前側の側壁板４の内側に折り曲げ可能な折込片１４が連設されている。該折込片１４の先端には前側の側壁板４の内側に折り込まれた状態において底板１に形成されている係止孔１ａに嵌り込む係止片１４ａを備えている。また、前記前側の側壁板４と前記折込片１４に跨って係止舌片１５が形成されている。
【００１８】
一方、前記後側の側壁板５の上端には上蓋片６が連設され、この上蓋片６の先端には、前記折込片１４の内側に差し込まれる差込片１６が連設されている。そして、前記上蓋片６と前記差込片１６の連設線上には係止部１６ａが設けられており、差込片１６を折り曲げると係止孔が形成される。
【００１９】
前記左右の側壁板２、３の後端縁には連結片２３および３３が後側の側壁板５の内側に沿うように折り曲げ可能に連設され、さらには約４５度の傾きの折り目線ｇを介して貼付片２４、３４、が連設されている。該貼付片２４、３４の、前記左右の側壁板２、３の反対側の端には折り目線ｈを介して仕切り片７、８が連設されており、さらにその先端には折り曲げ片１７、１８が連設されている。また、前記仕切り片７、８には折り目線ｈを介して前記貼付片２４、３４とともに貼付補助片２５、３５が連設されている。
【００２０】
次に図２〜図６を用いて本包装箱の組み立てについて説明する。
【００２１】
厚紙の表面を印刷したのちにトムソン等を用いて打ち抜いた包装箱は、まず、前記貼付片２４、３４、貼付補助片２５、３５および前記仕切り片７の端部７ａの裏面に接着剤が塗布される。その後、前記左右の側壁板２、３が前記底板１との連設線で折りたたまれ、前記貼付片２４、３４、貼付補助片２５、３５と前記後側の側壁板５の裏面同士が貼りつけられる。この状態を図２に示す。この時、貼付補助片２５、３５は重なり合わないが、前記仕切り片７と８は端部を重ね合わせて貼付される。
【００２２】
この状態で、接着剤が十分乾燥した後、図３に示すように、前記左右の側壁板２、３を両側に開いて立てる。この時、左右の側壁板２、３の後端縁には連結片２３および３３、および、貼付片２４、３４が連設されており、また、前記貼付片２４、３４と前記後側の側壁板５が貼付されているので、前記左右の側壁板２、３が左右に開くのに合わせて連結片２３と貼付片２４、連結片３３と貼付片３４がそれぞれ前記折り目線ｇで折りたたまれるとともに、前記後側の側壁板５が起き上がり、図４に示すような状態になる。
【００２３】
図４の状態から、前記左右の側壁板２、３の前端縁に連設された保持片２２および３２を内側に折り曲げるとともに、前記前側の側壁板４を、前記内側に折り曲げた第１の保持片２２および３２に沿うように折り曲げる。そして、前記前側の側壁板４に連設された折込片１４を、前記第１の保持片２２および３２を覆うように内側に折り込み、前記折込片１４の先端に設けられた係止片１４ａを底板１に形成されている係止孔１ａにはめ込み、固定する。
【００２４】
さらには、前記左右の側壁板２、３の上端に連設されたフラップ２１、３１、および、前記後側の側壁板５の上端には連設された上蓋片６を箱外側に折り曲げるとともに、前記上蓋片６の先端に連設された差込片１６を箱内側方向に折り曲げ、仕切り片７、８の先端に連設された折り曲げ片１７を底板１の方向に、仕切り片８の先端に連設された折り曲げ片１８を上蓋片６の方向に曲げることで、図５に示すように、不図示の被包装物を収納可能な状態になる。
【００２５】
包装物の梱包は、図５の状態から、底板１の上にデジタルカメラやその付属品等の被包装物を置き、折り曲げ片１７を前記折込片１４の内側に差し込みながら、貼りつけられて一体となった仕切り片７、８をかぶせる。この時、折り曲げ片１７の先端は底板１に接する長さとすることで、仕切り片７、８が沈み込まないように構成されている。
【００２６】
その後、該仕切り片７、８の上に取扱説明書や保証書などの印刷物を置き、包装箱外側に折り曲げられていたフラップ２１、３１を包装箱の内側に折り曲げた後、上蓋片６の先端に連設された差込片１６を、前記折込片１４の内側に差し込んで、蓋をする。この時は折り曲げ片１８の先端を上蓋片６に接する長さとすることで、仕切り片７、８が浮き上がることを防ぐことができる。
【００２７】
最後に、図６に示すように前記差込片１６の折り曲げ部に形成された係止孔に、係止舌片１５を差し込むことで、上蓋片６が開かなくなり、包装箱の組み立てと、梱包が終了する。
【００２８】
なお、本実施例においては、上蓋片は後側の側壁板に連設されているが、前後を逆にし、前側の側壁板より連設される構成としても良い。
【００２９】
また、被包装物の包装形態によっては、左右の仕切り片を接着しなくても良いし、左右の仕切り板が重なっていなくともよい。また、仕切り片は片側のみでもかまわない。
【符号の説明】
【００３０】
１  底板、１ａ  係止孔、２  右側壁板、３  左側壁板、４  前側側壁板、
５  後側側壁板、６  上蓋片、７，８  仕切り片、１４  折込片、１４ａ  係止片、
１５  係止舌片、１６  差込片、１６ａ  係止部、１７，１８  折り曲げ片、
２１，３１  フラップ、２２，３２  保持片、２３，３３  連結片、
２４，３４  貼付片、２５，３５  貼付補助片、ｇ，ｈ  左側フラップ
【図１】
2017145002.tif 000003
【図２】
2017145002.tif 000004
【図３】
2017145002.tif 000005
【図４】
2017145002.tif 000006
【図５】
2017145002.tif 000007
【図６】
2017145002.tif 000008